(57)【要約】【課題】  電子放出型表示装置において、高圧発生回路のフライバックトランスから発生する不要な電磁界の影響が表示パネルに及ばないようにするため、従来は、表示パネルの外側にトランスを配置していたが、パネル以外の部分にトランスを設置する場所が必要となり、装置全体のサイズが大きくなっていた。【解決手段】  電子放出素子式の表示パネルの構造から、画面領域にわたって張り巡らされ、２次元状に並んだ電子放出素子を駆動する配線領域を電磁界に対するシールド手段として用い、高電圧発生手段であるフライバックトランスを、表示パネルの表示領域から垂直に投影する範囲内で、かつ表示面から所定の距離以内に配置することにより、フライバックトランスから発生する不要な電磁界の影響がパネルに及ばないようにした。【選択図】        図６
2007025330.tif 000002
【特許請求の範囲】
【請求項１】
電子放出素子による平面パネル型表示手段を用い、表示動作に使用する５ｋＶ以上の高電圧を発生させる高電圧発生手段をもつ表示装置において、
前記高電圧発生手段を、前記平面パネル型表示手段の表示画面の領域を垂直方向に投影した範囲内かつ、前記表示画面から平行方向距離９０ｍｍ以内の範囲に配置したことを特徴とする表示装置。
【請求項２】
電子放出素子による平面パネル型表示手段を用い、表示動作に使用する５ｋＶＶ以上の高電圧を発生させる高電圧発生手段をもつ表示パネル構造体において、
前記高電圧発生手段を、前記平面パネル型表示手段の表示画面の領域を垂直方向に投影した範囲内かつ、前記表示画面から平行方向距離９０ｍｍ以内の範囲に配置したことを特徴とする表示パネル構造体。
【請求項３】
電子放出素子による平面パネル型表示手段を用い、表示動作に使用する５ｋＶ以上の高電圧を発生させる高電圧発生手段をもつ表示装置において、
前記高電圧発生手段の一部に含まれるフライバックトランス手段を、前記平面パネル型表示手段の表示画面の領域を垂直方向に投影した範囲内かつ、前記表示画面から平行方向距離９０ｍｍ以内の範囲に配置したことを特徴とする表示装置。
【請求項４】
電子放出素子による平面パネル型表示手段を用い、表示動作に使用する５ｋＶ以上の高電圧を発生させる高電圧発生手段をもつ表示パネル構造体において、
前記高電圧発生手段の一部に含まれるフライバックトランス手段を、前記平面パネル型表示手段の表示画面の領域を垂直方向に投影した範囲内かつ、前記表示画面から平行方向距離９０ｍｍ以内の範囲に配置したことを特徴とする表示パネル構造体。
【請求項５】
請求項１乃至請求項４のいずれかに記載の表示装置又は表示パネル構造体において、
前記平面パネル型表示手段の背面に、鉄を９０％以上含む材料により成る支持フレームを設け、前記支持フレームに前記高電圧発生手段を取り付け、前記支持フレームをシールド材として使用したことを特徴とする表示装置又は表示パネル構造体。
【請求項６】
電子放出素子による平面パネル型表示手段を用い、表示動作に使用する５ｋＶＶ以上の高電圧を発生させる高電圧発生手段をもつ表示パネル構造体において、
前記平面パネル型表示手段の前記電子放出素子の動作電圧が、表示動作に使用する高電圧の１００分の１以下であり、前記平面パネル型表示手段の前記電子放出素子への配線部分を、前記高電圧発生手段の電磁界シールド部材として利用したことを特徴とする表示パネル構造体。
【発明の詳細な説明】
【技術分野】
【０００１】
本発明は、電子放出素子による平面パネル表示手段を用いてテレビジョン映像などを表示する表示装置に関する。
【背景技術】
【０００２】
テレビジョン受像機などの表示装置においては、表示手段の進歩に伴い、フラットパネル（平面パネル型）表示手段として、電界放出素子（Ｆｉｅｌｄ−ｅｍｉｓｓｉｏｎ  ｅｌｅｍｅｎｔ）や、電子放出素子（Ｅｌｅｃｔｒｏｎ−ｅｍｉｓｓｉｏｎ  ｅｌｅｍｅｎｔ）などを用いたものが開発されつつある。これらの電子を放出させることにより表示を行う方式においては、その原理より、５ｋＶ（５０００Ｖ）以上の高電圧を予め表示素子に与えておく必要がある。
【０００３】
特許文献１及び２には、高電圧を発生する手段としてフライバックトランスを用いるフライバック式の高圧発生回路を搭載した電子放出あるいはＦＥＤ型フラットパネル型表示装置が記載されている。これらの従来技術では、高電圧を発生する電源手段を画面の表示エリアの外側に配置し、ケーブルを介して表示パネルへと高電圧を供給して、高電圧発生トランスを画面の外側に配置することによりセットの薄型化を実現している。
【０００４】
また、特許文献３には、高電圧を発生する手段として、フライバックトランスを用いた回路が記載されている。この従来技術によれば、高電圧を安定して発生することが可能である。
【０００５】
【特許文献１】特開２００３−１９８９８７号公報
【特許文献２】特開平１１−６７１２６号公報
【特許文献３】特開平１１−１４６６４４号公報
【発明の開示】
【発明が解決しようとする課題】
【０００６】
しかしながら、上記の特許文献１又は特許文献２に記載の従来技術では、高電圧発生トランスより発生する電磁界が、表示パネル内部の真空空間内を飛ぶ電子の軌道に影響を与え、最終的に表示画面に影響を与えることがある点、従来十分に認識されていなかった。また、画面の外側に高電圧回路を配置するため、セット外形が大きくなることがある点、従来十分に認識されていなかった。
【０００７】
また、上記の特許文献２に記載の従来技術においては、フライバックトランスの配置に関する記述がなく、高電圧発生手段の配置如何によっては、トランスより発生する電磁界が、表示パネル内部の真空空間内を飛ぶ電子の軌道に影響を与え、最終的に表示画面に影響を与えることがある点、従来十分に認識されていなかった。
【課題を解決するための手段】
【０００８】
上記の課題を解決するための手段として、本発明においては、高電圧発生手段を、電子放出素子パネルの表示面の垂直投影範囲内に置き、かつパネルの表示面から９０ｍｍ以内に配置する構成とした。
【発明の効果】
【０００９】
本発明によれば、電子放出素子パネルの表示範囲の垂直方向に投影する半以内でかつ表示面から９０ｍｍ以内に高電圧発生手段を配置したため、高電圧発生手段から発生する電磁界による画面への影響を最小限に抑える効果がある。
【００１０】
また、高圧発生トランスを、パネルの表示範囲の垂直方向に投影する範囲に配置したため、セットの外形を抑え、コンパクトな装置を実現できるという効果もある。以上より、表示する画質に優れ、装置としてコンパクトでかつ薄型な表示装置を提供することができるという効果がある。
【発明を実施するための最良の形態】
【００１１】
以下、図面を参照しながら、本発明の最良の形態について説明する。なお、全図において、共通な機能を有する構成要素には同一符号を付して示し、また、煩雑さを避けるために、一度述べたものについてはその繰り返した説明を省略する。
【実施例１】
【００１２】
図１から図７は、本発明の第１実施例の説明図である。図１から順に説明する。
図１は、本発明による第１実施例である表示装置を示す斜視図である。図１において、表示装置１は、表示装置用支持台１０に支持された状態である。信号入力端子１２０より取り入れた外部の放送電波やビデオ信号などをもとに、表示装置１の表示パネル２００に映像を表示して使用する。また、電源の操作は電源スイッチ１１０を操作することにより行う。表示装置１の表示パネル２００は、本説明では電子放出素子によるフラットパネル型表示手段を用いた例で説明する。
【００１３】
図２は、図１に示した本発明による第１実施例である表示装置１の表示部２の主要部をなす表示パネル２００の断面を示している。
表示動作は、電子放出手段２１０より放出される電子が例えば５０００Ｖなどの高電圧を印加したアノード電極２８０に引かれ、軌道２２０を経て蛍光体２３０へ到達し、蛍光体２３０を励起して発光動作を行うことにより実現する。
表示パネル２００の全体構造は、カソード基板２４０とアノード基板２５０の２枚のガラス基板の間と基板の間隔を維持するスペーサ２６０により形成される真空空間２７０内の部材により構成されている。
【００１４】
電子放出手段側２１０は、カソード基板２４０上にある下部電極２１１のさらに上の保護絶縁層２１４の一部である薄くなった絶縁層２１２、上部電極２１３により構成される。下部電極２１１と上部電極２１３の間が絶縁層２１２により隔てられており、この間に所定の電圧、例えば７Ｖなどの電圧を加えることにより、真空空間２７０に向かって電子を放出する。印加する電圧により放出される電子の量をコントロールすることができる。
また、スペーサ２６０の下部には、カソード基板側から、下部電極２１１、保護絶縁層２１４、層間マスク２１５、厚膜電極２１８、上部電極２１３の順に構
成されている。
【００１５】
蛍光体側の構成は、透明なガラスにより構成されるアノード基板２５０に設けた所定の導電性をもつ蛍光体２３０と、画素を構成する蛍光体の周囲を取り囲むアノード電極２８０により構成されている。アノード電極２８０には、表示パネル２００の外部から供給される例えば５ｋＶ（５０００Ｖ）以上の高電圧が、カソード基板の下部電極との間に印加されている。このときアノード電極２８０に接続された蛍光体２３０はほぼ同じ電位となっている。先ほど説明した、カソード側の電子放出手段２１０より放出された電子は、アノード電極２８０に接続された蛍光体２３０にひきつけられて、軌道２２０のように真空空間２７０内を進み、蛍光体２３０に衝突し、蛍光体２３０の蛍光作用により、発光動作を行う。
【００１６】
この図２は、１つの画素を構成する例えば３色成分の内の１つの色成分、例えば緑色の素子を示している。１つの画素は、例えばその他赤と青の２色の表示を行う素子を加えた３素子により構成される。さらに、２次元的に縦横に配置した画素が表示する画面全体を構成している。電子放出手段へ給電する電極は、下部電極２１１はこの図では向かって左右方向に伸びており、上部電極２１３はこの図では厚膜電極２１８に接続され、厚膜電極はこの図では向かって前後方向に伸びている。このように、マトリックス状に２次元的に配置された電極により、夫々の画素を構成する電子放出手段に対して電圧を印加することにより、電子を放出させて、蛍光体を発光させて表示動作を行っている。
【００１７】
図３は、本発明の第１実施例の表示装置の表示パネル全体の内部構成を示す斜視図である。図３（ａ）から図３（ｅ）図で、夫々の部位毎の構成より、電極部分の構造詳細の説明を行う。図３（ａ）図で、全体の構造を、図３（ｂ）図で電子放出素子部の構造を、図３（ｃ）図で電子放出素子部の分解図を、図３（ｄ）図で下部電極部の構造を、そして、図３（ｅ）図で上部電極部の構造を説明する。
【００１８】
まず、図３（ａ）図から説明する。図３（ａ）図は、画素を構成する数素子分のパネル全体から見た領域の拡大及び断面の斜視図である。
電子放出手段２１０部分は、カソード基板２４０上にある下部電極２１１、上部電極２１３およびその間の保護絶縁層２１４により構成される。図２で説明したように電子下部電極３１１と上部電極３１３の間の薄くなった絶縁層２１２により隔てられており、この間に所定の電圧、例えば７Ｖなどの電圧を加えることにより、真空空間に向かって電子を放出する。そして、放出された電子が最終的にアノード基板２５０側の蛍光体２３０に進んで、発光動作を行う。
【００１９】
この図３（ａ）図で示すように、隣接する電子放出手段２１０  ２１０´などの複数の素子により１画素分を構成しており、さらに縦横２次元的に配置された多数の画素により、画面として表示する領域を構成している。このときの１画素のサイズは、例えば５００μｍなどのピッチで構成されている。スペーサ２３０は、所定間隔（たとえば４素子、２ｍｍ毎など）をおいて厚膜電極２１８の上に乗って配置されている。
【００２０】
図３（ｂ）図は、アノード基板側を省略して、カソード基板側のみの電子放出部の構造の拡大斜視図である。また、断面は先ほど説明した図２の断面図と同じものを立体的に表示している。
厚膜電極２１８は、図３（ｂ）図では、左上から右下方向に向かって連続した導体として接続されており、平行した隣の厚膜電極２１８´などとは、絶縁されており導通はない。厚膜電極２１８からは、夫々の電子放出手段に向かった上部電極２１３が接続されている。
【００２１】
図３（ｃ）図は、電子放出部の構造の層毎の分解図である。
カソード基板２４０上の下部電極２１１は、左下から右上方向に向かって連続した導体として接続されており、厚膜電極２１８の方向とは直交方向に配置されている。このとき、図３（ｂ）図の電子放出手段２１０、２１０´などの連続した素子の下側で下部電極は接続しており、図３（ｃ）図の平行する素子列の下部電極２１１´とは絶縁されており導通はない。
このように、複数の厚膜電極２１３と下部電極２１１がマトリックス状に直交した配置となっており、交差部分に電子放出手段２１０が配置されている。
【００２２】
図３（ｄ）図は、下部電極のみの斜視図である。図３（ｅ）図は上部電極２１３と圧膜電極２１８の斜視図である。
ここで、図３（ａ）図で、特定の電子放出手段２１０を動作させる場合には、電子放出手段２１０に接続された、厚膜電極２１８と下部電極２１１を選択すればよい。隣接する電子放出手段２１０´を動作させる場合には、電子放出手段２１０´に接続された厚膜電極２１８´と下部電極２１１とを選択すれば良い。後の説明では、これらの厚膜電極３２２の接続先は、スキャン駆動回路、下部電極３１１の接続先はデータ駆動回路として説明している。
また、スペーサ２６０の下部には、カソード基板側から、下部電極２１１、保護絶縁層２１４、層間マスク２１５、圧膜電極２１８、上部電極３１３の順に構成されている。
【００２３】
図４では、図２及び図３で説明した個別の素子の集合体である、表示パネルの全体を示している。
この図では、説明のため、アノード基板２５０とカソード基板２４０とは、分離した状態で、内部の構造が見えるようにしている。また、斜視図の方向は、先ほどの図３に示した方向と同じ向きを示している。
カソード基板２４０上には、スペーサ２６０が複数並んでおり、先ほどの説明での例えば４素子毎に配置されている。カソード基板自体は、画面サイズ、例えば縦が４００ｍｍに対して横７１０ｍｍなどのサイズより大きく、例えば４５０ｍｍｘ７５０ｍｍなどのサイズとなっている。
【００２４】
上部電極と下部電極は、カソード基板上に画面サイズより大きい範囲で、縦横のマトリックス状の網目として配置されている。先ほどの図３で説明したように、平行して多数並んでいる上部電極は、スキャンフレキシブルケーブル４８０へ接続されている。また、平行して多数並んでいる下部電極は、データフレキシブルケーブル４７０へ接続されている。
カソード基板２４０とアノード基板２５０とを組み合わせて接続し、内部を真空にして、表示パネル２００として機能する。
【００２５】
図５は、第１図に示した本発明の第１実施例の表示装置１の内部回路構成を示すブロック図である。
表示装置１には、外部からの放送電波やビデオ信号などを入力する入力端子１２０が設けてある。また、電源は、装置外部からＡＣ電源端子１３０から電力を取り入れる構成となっている。
装置全体の電力の供給系統は、ＡＣ電源端子１３０から入ったＡＣ電源は、電源回路４１０で所定のＤＣ電圧などに変換されて、データ変換回路４２０、データ駆動回路４５０、スキャン駆動回路４６０及び高圧系の制御回路４３０へと電力を供給する構成となっている。
【００２６】
高圧系では、制御回路４３０で所定の波形に変換された電流をフライバックトランス４４０の１次側コイル４４１へと送り、フライバックトランス４４０の２次側コイル４４２に発生する高電圧例えば５ｋＶ（５０００Ｖ）以上の電圧を取り出す。２次側コイル４４２の先には、整流手段４４３と平滑手段４４４が設けてあり、その先に表示パネル２００が接続されている。
【００２７】
このとき、高圧変換を行うフライバックトランス４４０のコイル間にあるコア４４５、１次側コイル４４１及び２次側コイル４４２から、不要な電磁波が発生する。これらの電磁波が、仮に表示パネル２００の電子の飛ぶ軌道内に作用すると、所定の軌道から外れたところに電子が飛ぶことになり、最終的に所定の蛍光体に到達せずに、図２でのアノード電極部分や、隣接する他の色の素子の蛍光体に電子が到達することがある。
【００２８】
本発明においては、このフライバックトランス４４０を設置する位置を、表示パネル２００の画素表示面の垂直に投影する範囲にして、フライバックトランス４４０より発生する不要な電磁波が発光素子に与える影響を少なくしている。
【００２９】
その他、図４に示すように、装置１外部から入力端子１２０経由で入力される外部信号は、データ変換回路４２０により、所定の形態のデータに変換され、データ駆動回路４５０とスキャン駆動回路４６０に送られる。そして、夫々の駆動回路の先にはデータフレキシブルケーブル４７０とスキャンフレキシブルケーブル４８０を経由して表示パネル２００へと接続され、駆動電圧を供給する構成となっている。
【００３０】
先ほどの図２及び図３において説明したように、これらのデータ駆動回路４５０とスキャン駆動回路４６０により、動作させる素子を選択して発光させ、これらを順次切り替えることにより、平面状に画面として表示を行っている。
【００３１】
図６は、図１に示した本発明の第１実施例の表示装置内部表示パネル構造体５の背面側を示す斜視図である。表示パネル構造体５は、表示パネル２００と背面シャシ５００とにより構成されている。
全体がガラスでできている表示パネル２００の表示面の裏側の裏面側と背面シャシ５００とは図示しない手段で接着して固定されている。背面シャシ５００側を支持することにより、表示パネル２００を保持する構造となっている。
【００３２】
背面シャシ５００には、先ほどの図５に示す駆動回路部分が設けてあり、表示パネル２００の動作を制御している。すなわち、電源回路４１０から供給される電力により、制御回路４３０が動作し、フライバックトランス４４０に所定の波形の電力を供給する。フライバックトランス４４０は、出力の高電圧、例えば５０００Ｖを高圧ケーブル４４５に出力する。高電圧はアノードコネクタ４４６を経由して表示パネル２００へと送られる。
【００３３】
一方、表示の信号は、データ変換基板４２０で処理されて、スキャン駆動回路４６０及びデータ駆動回路４５０へと送られ、さらには、夫々接続されたスキャンフレキシブルケーブル４８０及びデータフレキシブルケーブル４７０を経由して、表示パネル２００内の表示動作を行う素子を駆動して、表示動作を行う。
【００３４】
図７は、図６のパネル構造体５の説明図である。図７（ａ）は背面図を示す。この図で、領域２９０は、表示パネル２００の表示領域を示している。
このとき、フライバックトランス４４０の位置は、表示領域の領域２８０の内側、すなわち画面の表示領域から垂直方向に投影した範囲内に、フライバックトランス４４０が配置されている。
【００３５】
図７（ｂ）は、パネル構造体５の側面図である。この図で、フライバックトランス４４０と表示画面との位置関係を説明する。
表示パネル２００から、フライバックトランス４４０の最外形までの距離は、図に示すように、寸法６の矢印の範囲で、９０ｍｍ以下としてある。このようにすると、先ほどの図６の説明の配置と、この図７の配置により、表示パネル２００フライバックトランス４４０からの不要な電磁界の影響を受けにくくなる。
【００３６】
すなわち、先ほどの図３で説明したように、駆動用のデータ線とスキャン線とが、縦横のマトリックス状に交差して配置されており、画面の表示領域全体が駆動信号線で覆われている。画面の領域全体を覆う駆動信号線の動作電圧は、７Ｖ前後である。この７Ｖ程度の動作電圧に対して、フライバックトランス４４０内で取り扱う電圧は例えば５ｋＶ（５０００Ｖ）以上の高電圧であり、フライバックトランス４４０から見て、駆動信号線の電位は、ほとんど接地状態と同等になる。
【００３７】
このため、表示パネルの表示面全体を覆う、駆動信号線のマトリックス状に張り巡らされた領域は、接地面となり、フライバックトランス４４０から発生する不要な電磁界は、接地面でシールドされて、表示動作を行っている電子の軌道に影響を与えることが少ない。
【実施例２】
【００３８】
図８は、本発明の第２実施例のパネル構造体を示す背面図である。
パネル構造体５は、表示パネル２００と、背面シャシ５５０とにより構成されている。表示パネル２００は図示しない接着手段により背面シャシ５５０に接着されて支持されている。
このとき、背面シャシ５５０は、鉄材、例えば電気亜鉛メッキ鋼板などにより構成されている。この背面シャシ５５０上に設けた電気亜鉛めっき鋼板製のシールドケース６１０にフライバックトランス４４０が取り付けられて構成されている。
【００３９】
また、フライバックトランス４４０の表示パネルの表示領域との関係では、図６と同様に、表示領域の垂直投影範囲内にフライバックトランス４４０が配置されている。また、表示面からの位置関係も図７と同様に９０ｍｍ以内に配置している。
この、図８に示す第２実施例のようにすると、フライバックトランス４４０から発生する不要電磁界は、先ほど説明したように、表示パネルの駆動信号線マトリックス網でシールドされると共に、背面シャシ５５０を構成する電気亜鉛メッキ鋼板により、シールドされ、３重のシールドが加えられ、不要電磁波が表示画面に及ぼす影響はほとんど発生しない。
【実施例３】
【００４０】
図９は、本発明の第３実施例を示すパネル構造体５の内容を示す背面図である。
図９に示す一実施の形態においては、高圧を発生するフライバックトランスは複数個あり、表示画面内のアノード部分の配線インピーダンスによる発光ムラを防止している。図９の構成においても、フライバックトランス４４０及び４４０´は、図６の説明と同様に、表示パネル２００の表示領域２９０内でかつ、図７の説明と同様に表示パネル２００の表示面から９０ｍｍ以内の領域に配置されている。
【００４１】
このようにすることにより、複数のフライバックトランスから発生する不要な電磁界を、表示パネルの駆動線網によりシールドすることができ、不要な電磁界が表示に与える影響を抑えることができる。
【００４２】
本発明の各実施例の説明では、表示手段の電子放出素子を用いる表示パネルの例で説明したが、他の電子式表示方式、例えば電界放射型素子（Ｆｉｅｌｄ−ｅｍｉｓｓｉｏｎ  ｅｌｅｍｅｎｔ）などであっても同様の効果が有ることは言うまでも無い。
また、高電圧発生手段として、フライバックトランスを用いるもので説明したが、他の高電圧発生手段（インパクトダイオードや、通常のトランス手段など）を用いるものであっても、同様に不要な電磁界を発生するものであれば同様の効果があることは言うまでもない。
【図面の簡単な説明】
【００４３】
【図１】本発明の第１実施例に係る表示装置の外観を示す斜視図。
【図２】本発明の第１実施例に係る表示パネルの断面図。
【図３（ａ）】本発明の第１実施例に係る表示パネルの内部電極構成の全体の構造を示す斜視図。
【図３（ｂ）】本発明の第１実施例に係る表示パネルの電子放出素子部の構造を示す斜視図。
【図３（ｃ）】本発明の第１実施例に係る表示パネルの電子放出素子部の分解図を示す斜視図。
【図３（ｄ）】本発明の第１実施例に係る表示パネルの下部電極部の構造を示す斜視図。
【図３（ｅ）】本発明の第１実施例に係る表示パネルの上部電極部の構造を示す斜視図。
【図４】本発明の第１実施例に係る表示パネル部の分解図。
【図５】本発明の第１実施例に係る表示装置の内部回路構成を示すブロック図。
【図６】本発明の第１実施例に係る表示パネル構造体の背面斜視図。
【図７】本発明の第１実施例に係る表示パネル構造体の説明図。
【図８】本発明の第２実施例に係る表示装置の内部構造を示す斜視図。
【図９】本発明の第３実施例に係る表示装置の内部構造を示す背面図。
【符号の説明】
【００４４】
１    表示装置
２    表示部
２００    表示パネル
２４０    カソード基板
２５０    アノード基板
３３０  スペーサ
２７０  真空空間
２１０  電子放出手段
２２０  軌道
２３０  蛍光体
３１１  下部電極
３１３  上部電極
３２２  厚膜電極
４１０  電源回路
４２０  データ変換回路
４５０  データ駆動回路
４６０  スキャン駆動回路
４３０  高圧系駆動回路
４４０  フライバックトランス
４４１  １次側コイル
４４２  ２次側コイル
４４３  整流手段
４４４  平滑手段
４４５  高圧ケーブル
４４６  アノードコネクタ
５５０  背面シャシ
【図１】
2007025330.tif 000003
【図２】
2007025330.tif 000004
【図３（ａ）】
2007025330.tif 000005
【図３（ｂ）】
2007025330.tif 000006
【図３（ｃ）】
2007025330.tif 000007
【図３（ｄ）】
2007025330.tif 000008
【図３（ｅ）】
2007025330.tif 000009
【図４】
2007025330.tif 000010
【図５】
2007025330.tif 000011
【図６】
2007025330.tif 000012
【図７】
2007025330.tif 000013
【図８】
2007025330.tif 000014
【図９】
2007025330.tif 000015